(57)【要約】【課題】  簡便な操作でマガジンを適正な位置に保持できるマガジンの支持構造を構成する。【解決手段】  マガジンＭを載置するドロア４４が格納位置Ｓと引き出し位置Ｔとにスライド操作自在に構成され、ドロア４４を格納位置Ｓに保持するロック機構Ｌを備え、このロック機構Ｌは、ドロア４４の作動方向と平行する揺動軸芯周りで操作自在なレバー６２と、このレバー６２と一体的に揺動する押圧ローラ６６と、押圧ローラ６６を押圧方向に付勢するバネとで構成した。【選択図】        図１１
2005227347.tif 000002
【特許請求の範囲】
【請求項１】
プリント装置の筐体の内部において感光材料を収納するマガジンを適正な位置にセットする格納位置と、前記マガジンを筐体から水平方向に引き出した引き出し位置とに切り換え操作自在なドロアを備えているマガジンの支持構造であって、
前記ドロアを格納位置で固定するロック機構を備え、このロック機構は、前記ドロアの作動方向と平行な揺動軸芯周りでロック姿勢と解除姿勢とに操作自在なレバーと、このレバーをロック姿勢に操作した際にはレバーと一体的に揺動することにより前記ドロア又はマガジンに接当して前記マガジンに対して格納位置に向かう押圧力を作用させる押圧ローラとを備えると共に、この押圧ローラに対して前記押圧力の作用方向に付勢力を作用させる付勢手段を備えて構成されているマガジンの支持構造。
【請求項２】
前記レバーと一体的に揺動するアームを備え、このアームの揺動端部において前記揺動軸芯に沿う方向に変位自在な可動部材を備え、この可動部材に対して回転自在に前記押圧ローラを備えると共に、この可動部材に対して前記付勢手段から付勢力を作用させている請求項１記載のマガジンの支持構造。
【発明の詳細な説明】
【技術分野】
【０００１】
本発明は、プリント装置の筐体の内部において感光材料を収納するマガジンを適正な位置にセットする格納位置と、前記マガジンを筐体から水平方向に引き出した引き出し位置とに切り換え操作自在なドロアを備えているマガジンの支持構造に関する。
【背景技術】
【０００２】
上記のように構成されたマガジンの支持構造としては特許文献１に記載されるものが存在する。この特許文献１では、写真処理装置の格納室（本発明の筐体）に対してペーパマガジン台を有するスライドレール装置（本発明のドロア）を備えており、格納室の開閉扉を開放した状態において、ペーパマガジン台に載置したペーパマガジン（本発明のマガジン）を、引き出し操作によって機体の外へ移動できるよう構成されている。また、このペーパマガジンを格納室の内部の所定位置にセットした後に開閉扉を閉鎖した場合には、この開閉扉に備えた押し込み部材がペーパマガジン台に弾性的な力を作用させてペーパマガジンの位置を決めるものとなっている。
【０００３】
【特許文献１】特開２００１‐８３６８１号公報  （段落番号〔０００９〕〜〔００２４〕、図３）
【発明の開示】
【発明が解決しようとする課題】
【０００４】
ここでマガジンを筐体内部の適正な位置にセットすることを考えた場合、特許文献１のように開閉扉の閉じ操作によってマガジンを適正な位置にセットするものでは、マガジンが重量物であることを考えると、開閉扉の閉じ操作時にマガジンに対して比較的強力な力を作用させる必要があり、開閉扉の強度も高くしなければならないものであった。特に、この種の開閉扉はヒンジによって揺動式に開閉する構造であるため、この開閉扉を閉鎖した状態でマガジンを適正な位置に保持するためには開閉扉を閉鎖状態に維持するロック機構も強力なものを使用しなくてはならず、構造的、強度的に不利な面もあった。
【０００５】
そこで、装置側のフレームに備えた部材と、ドロアに備えた部材とを連結するバックル等を備えることによって、マガジンを適正な位置に保持する手段を採用することも考えられるが、バックルのように２部材を引き合わせて連結する操作を必要とするものでは連結時に手間が掛かり易く改善の余地がある。
【０００６】
本発明の目的は、簡便な操作でマガジンを適正な位置に保持できるマガジンの支持構造を合理的に構成する点にある。
【課題を解決するための手段】
【０００７】
本発明の特徴は、プリント装置の筐体の内部において感光材料を収納するマガジンを適正な位置にセットする格納位置と、前記マガジンを筐体から水平方向に引き出した引き出し位置とに切り換え操作自在なドロアを備えているマガジンの支持構造において、
前記ドロアを格納位置で固定するロック機構を備え、このロック機構は、前記ドロアの作動方向と平行な揺動軸芯周りでロック姿勢と解除姿勢とに操作自在なレバーと、このレバーをロック姿勢に操作した際にはレバーと一体的に揺動することにより前記ドロア又はマガジンに接当して前記マガジンに対して格納位置に向かう押圧力を作用させる押圧ローラとを備えると共に、この押圧ローラに対して前記押圧力の作用方向に付勢力を作用させる付勢手段を備えた点にある。
【０００８】
この構成により、ドロアの操作によってマガジンを格納位置と引き出し位置とに切り換え操作を行えると共に、ドロアの操作によってマガジンを格納位置にセットした後に、レバーをロック姿勢に揺動操作した際には、押圧ローラがドロア又はマガジンに接当することによりマガジンを適正な位置に向かわせる押圧力を作用させるものとなり、この押圧力は付勢手段を介して伝えられるので、この押圧力を継続的に作用させることが可能となる。また、レバーをロック姿勢に操作した際には押圧ローラが回転することによりレバーを軽快に操作できるものとなり、更に、レバーがドロアの作動方向と平行な揺動軸周りで揺動する構造であるので、ロック状態でマガジンから引き出し方向に力が作用することがあっても、レバーが解除姿勢に揺動することはなくロック状態を維持できる。従って、簡便な操作でマガジンを適正な位置に保持できるマガジンの支持構造が合理的に構成されたのである。特に、本発明では、筐体の内部にロック機構を備えるので、例えば、筐体の側部に配置される扉を閉じた際に、扉から押圧力が作用するものと比較すると、扉の強度を高める必要がないものとなる。
【０００９】
本発明は、前記レバーと一体的に揺動するアームを備え、このアームの揺動端部において前記揺動軸芯に沿う方向に変位自在な可動部材を備え、この可動部材に対して回転自在に前記押圧ローラを備えると共に、この可動部材に対して前記付勢手段から付勢力を作用させても良い。
【００１０】
この構成により、レバーをロック姿勢に操作して押圧ローラがドロア又はマガジンに接当することにより可動部材がドロアの作動方向に沿う方向へ変位するものとなり、この変位が付勢手段の付勢力に抗して行われるので、可動部材の大きい変位が可能となり、押圧ローラと、この押圧ローラが接当するドロア又はマガジンとの相対的な位置精度をあまり高く設定する必要がなく、組立を容易に行えるものとなる。
【発明を実施するための最良の形態】
【００１１】
以下、本発明の実施形態を図面に基づいて説明する。
図１に示すように、感光材料としての銀塩印画紙Ｐ（以下、印画紙Ｐと称する）に対して露光を行う露光ブロックＥｘと、この露光ブロックＥｘで露光された印画紙Ｐの現像処理を行う現像ブロックＤｅと、現像処理後の印画紙Ｐを乾燥する乾燥ブロックＤｒとを筐体１０に収納すると共に、乾燥ブロックＤｒでの乾燥処理の後に筐体１０の上部から水平方向に送り出される印画紙Ｐを搬送ベルト１１からソータ（図示せず）に送り、オーダ単位で仕分けて集積する写真プリント装置が構成されている。この写真プリント装置はデジタルミニラボと称せられるものであり、図面には示していないが写真フィルムのコマ画像をフィルムスキャナによって光電変換して取り込んだ画像情報、あるいは、デジタルカメラで撮影した画像情報を該写真プリント装置に伝送することにより、その画像情報に基づき露光ブロックＥｘにおいて印画紙Ｐに露光を行い自動的な現像処理を行えるよう構成されたものである。
【００１２】
前記露光ブロックＥｘは、２つの樹脂製の印画紙マガジンＭ、Ｍの一方に収納したロール状の印画紙Ｐを供給ユニットＵ１においてプリントサイズに切断して上方に搬送し、この供給ユニットＵ１からの印画紙Ｐを露光搬送ユニットＵ２において鉛直姿勢となる搬送経路を下方から上方に搬送しながら画像情報の露光を行い、この露光搬送ユニットＵ２から上方に送られる印画紙Ｐを前部搬送ユニットＵ３において搬送方向を水平方向に変換した後、振分ユニットＵ４で水平方向に送り、この後、後部搬送ユニットＵ５から前記現像ブロックＤｅに受け渡すよう印画紙Ｐの搬送系が構成されている。
【００１３】
印画紙Ｐの搬送形態を具体的に説明する。前記供給ユニットＵ１では、２つの印画紙マガジンＭ、Ｍの一方に収納したロール状の印画紙Ｐをガイド体１５から圧着型のアドバンスローラ１６に送り出し、このアドバンスローラ１６からの印画紙Ｐをカッター１７でプリントサイズに切断し、このように切断された印画紙Ｐの裏面側にドットインパクト型の印字ヘッド１８によって必要な情報をプリントし、この後、圧着搬送体１９によって印画紙Ｐを挟持し、単列で前記露光搬送ユニットＵ２に送り込むよう構成されている。前記露光搬送ユニットＵ２では、前記圧着搬送体１９からの印画紙Ｐを、圧着状態と開放状態とに切り換え自在な導入ローラ２０で受け取り、更に、圧着状態と開放状態とに切り換え自在な一対の搬送ローラ２１、２１で上方（副走査方向）に搬送しながら、この搬送速度と同期して露光エンジン２２からのレーザビームで主走査方向（水平方向）に露光を行うよう構成されている。
【００１４】
前記露光エンジン２２は、ケーシングの内部に収納したＲ（赤）、Ｇ（緑）、Ｂ（青）の三原色のレーザ光源からの光線を音響光学式の変調手段によって光量を調節した後、縦軸芯で回転するポリゴンミラーのミラー面で反射させることにより主走査方向に走査する状態で前記露光位置に送り出す構造のものが使用されている。尚、この露光エンジン２２として液晶シャッター方式やＤＭＤ方式の使用が可能である。
【００１５】
前部搬送ユニットＵ３では、前記露光搬送ユニットＵ２から送り出される印画紙Ｐを圧着状態と開放状態とに切り換え自在な複数の搬送ローラ２４によって湾曲搬送経路に送り、下方から送られる印画紙Ｐの搬送方向を水平方向に変換して送り出すよう構成されている。前記振分ユニットＵ４では、前部ローラユニットＵ３の供給経路の供給位置に達した印画紙Ｐを２つのチャッカーＣＨ、ＣＨの作動によって予め設定された２つの振り分け経路（図示せず）に振り分けるよう構成されている。後部ローラユニットＵ５では、前記チャッカーＣＨからの印画紙Ｐを圧着型の受け入れローラ２５で受け入れ、複数の圧着ローラ２６で斜め下方に搬送して、前記現像ブロックＤｅの現像処理槽２７に備えた導入ローラ２８に受け渡すように構成されている。
【００１６】
前記現像ブロックＤｅは前記現像処理槽２７と、この現像処理槽２７に対して印画紙Ｐを搬送する搬送機構と備えて構成され、前記乾燥ブロックＤｒは、印画紙Ｐに対して加熱空気を供給するブロア２９を備えている。
【００１７】
前述のように、長尺の印画紙Ｐをプリントサイズに切断して画像情報の露光を行った後に現像ブロックＤｅに送り込む搬送形態は従来からの写真プリント装置と基本的に変わるところはなく、本発明では筐体１０のうち露光ブロックＥｘの側部を開閉する第１扉３０、第２扉３１を備え、この第１扉３０、第２扉３１を開放した状態で２つの印画紙マガジンを筐体１０の水平方向に引き出せるように構成され、更に、夫々の印画紙マガジンＭ、Ｍを筐体の内部に保持するロック機構Ｌ、Ｌを備えた構造（マガジンの支持構造）に特徴を有するものである。
【００１８】
図２〜図５に示すように、前記第１扉３０、第２扉３１は２つの印画紙マガジンＭ、Ｍを格納する空間、及び、前記供給ユニットＵ１から露光搬送ユニットＵ２に亘る空間の側部に配置され、この第１扉３０、第２扉３１は一方の側端に備えたヒンジ３０Ａ、３１Ａによって揺動開閉自在に筐体１０に支持され、この第１扉３０の揺動端の側にはハンドル３２で操作される保持機構３３を備え、この保持機構３３が筐体側の部材に係合することによって第１扉３０が閉じ姿勢に保持され、このように第１扉３０が閉じ姿勢にあることで第２扉３１が閉じ姿勢に保持されるよう構成されている。そして、第１扉３０は、ハンドル３２の操作で保持機構による保持状態を解除して開放でき、第１扉３０を開放した後に第２扉３１を開放できるものとなる。尚、前記前部搬送ユニットＵ３、振分ユニットＵ４、後部搬送ユニットＵ５が配置された空間は、ヒンジ３４によって開閉自在に筐体１０の上部に支持された上部カバー３５を揺動式に開放できるよう構成されている。
【００１９】
前記露光ブロックＥｘは水平姿勢の上部フレーム４０と、下部フレーム４１と、縦姿勢の縦フレーム４２とを連結し、これらのフレームに対して外壁体Ｗを固定し、前記扉３０、３１や前記上部カバー３５を備えることにより暗箱状となる空間を形成し、更に、この空間の内部の上下方向での中間位置に水平姿勢の中間フレーム４３を形成している。この中間フレーム４３に支持した複数のスライドレールＳＲを介して上側のドロア４４をスライド移動自在に支持してあり、下部フレーム４１に対して複数のスライドレールＳＲを介して下側のドロア４４をスライド移動自在に支持してある。
【００２０】
前記夫々のドロア４４は平面視で矩形となる金属製の枠体で構成され、この枠体に対して上方から嵌め込む形態で前記印画紙マガジンＭを載置できるように構成されている。夫々のドロア４４、４４は、格納位置Ｓと、筐体１０から引き出した引き出し位置Ｔとに印画紙マガジンＭをセットできるように構成され、更に、夫々の印画紙マガジンＭ、Ｍを格納位置Ｓにセットした際に、夫々の印画紙マガジンＭ、Ｍを格納位置Ｓに保持するための２つロック機構Ｌ、Ｌを前記中間フレーム４３に備えている。尚、前記格納位置Ｓとは、印画紙マガジンＭ、Ｍに収納した印画紙Ｐを適正に送り出すことが可能な位置であり、前記引き出し位置Ｔとはドロア４４を最大限引き出した位置を指している。
【００２１】
前記スライドレールＳＲは、図６〜図８に示すように筐体側に固定される固定レール４６と、ドロア４４に固定される可動レール４７と、これら固定レール４６、可動レール４７の中間に備えられる中間レール４８とで構成され、固定レール４６と中間レール４８との間、及び、可動レール４７と中間レール４８との間にはリテナーで保持された複数のボール４９を備えることにより円滑な作動を実現している。また、ドロア４４を引き出し位置まで引き出した際に、この引き出し位置Ｔを保持するためのクリックストップ５０を備えている。このクリックストップ５０は、固定レール４６と中間レール４８との間の空間、及び、可動レール４７と中間レール４８との間に備えられるものであり、例えば、固定レール４６と中間レール４８との間に備えられるものを例に挙げると、固定レール４６の端部に折り曲げ形成した接当片５０Ａと、中間レール４８に形成したバネ材製で湾曲する形状の一対の圧着片５０Ｂとで構成され、ドロア４４を引き出し操作した際には圧着片５０Ｂの突出端を弾性変形させながら接当片５０Ａが乗り越える形態で移動して引き出し位置Ｔに達し、この引き出し位置Ｔにドロア４４を保持するよう機能する。また、この引き出し位置Ｔから人為的に押し込み操作した場合には、ドロア４４の移動方向が逆であるものの、前述と同様に圧着片５０Ｂの突出端を弾性変形させながら接当片５０Ａが乗り越える形態でドロア４４の移動を許すよう機能する。
【００２２】
図５に示すように前記格納位置Ｓにセットした際に、ドロア４４を構成する枠体に穿設した孔部４４Ａに嵌合してドロア４４の横方向及び左右方向への位置ズレを抑制する係合ピン５２を備えている。前記２つのドロア４４、４４のうち上部位置のものには内端側にコネクタ５３を固設し、ドロア４４を押し込み操作した際にコネクタ５３に嵌合して導通状態となるレセプタクル５４を備えている。このレセプタクル５４は可動プレート５５に固定されると共に、この可動プレート５５をバネやゴム等を介して変位自在に筐体１０のフレームの側に支持することにより、コネクタ５３との嵌合時には可動プレート５５と一体的に適正な位置に変位して嵌合を行えるようにしている。尚、このコネクタ５３とレセプタクル５４とは印画紙マガジンＭに備えたセンサ（図示せず）に対する信号のアクセスを行うものである。
【００２３】
図９及び図１０に示すように、前記２つのロック機構Ｌ、Ｌは、前記中間フレーム４３に支持した中間ボックス６０に備えられるものである。つまり、前記ドロア４４の作動方向（スライドレールの伸縮方向）と平行する姿勢の揺動軸芯上に配置された軸体６１の外端部に手動操作可能なレバー６２を固定し、この軸体６１の内端部にアーム６３を固定し、このアーム６３に対し前記揺動軸芯と直交する姿勢の支軸６４に周りで揺動自在に可動部材６５を支持し、この可動部材６５に対して前記アーム６３の延出方向に沿う姿勢の軸芯周りで遊転するよう樹脂製の押圧ローラ６６を支承し、更に、この押圧ローラ６６をドロア４４の作動方向に付勢する圧縮コイルバネ６７（付勢手段の一例）を備えてロック機構Ｌが構成されている。
【００２４】
前記レバー６２は、図１１〜図１３に示すように、前記揺動軸芯周りでの操作でロック姿勢Ｘと解除姿勢Ｙとに操作自在に支持され、前記アーム６３に対してトグルバネ６８を作用させることにより、レバー６２を解除姿勢Ｙに設定した際と、デッドポイントＤＰを超えてロック姿勢Ｘの側に設定した際に、トグルバネ６８の付勢力によってレバー６２を夫々の姿勢に保持できるように構成している。前記押圧ローラ６６は、耐久性が高く円滑に回転することが好ましく、本実施の形態ではラジアルボールベアリングのアウターレースにデルリン樹脂（デュポン社の商品・アセタール樹脂）を嵌め込んだ構造のものを使用している。尚、この押圧ローラ６６にはデルリン樹脂の他にナイロンを使用することや金属を用いることも可能である。
【００２５】
上側のロック機構Ｌは、図１０に示すように、レバー６２をロック姿勢Ｘの方向に操作した際に、その押圧ローラ６６が上側のドロア４４の下面に形成したロック板６９に接当する位置に配置され、下側のロック機構Ｌは、レバー６２をロック姿勢Ｘの方向に操作した際に、その押圧ローラ６６が下側のドロア４４に載置した印画紙マガジンＭの接当部７０に接当する位置に配置されている。
【００２６】
前記ロック板６９は金属板の曲げ成型により、ドロア４４の作動方向と直交する姿勢のロック面６９Ｘと、これに滑らかに連なる傾斜姿勢の案内面６９Ｓとを具備しており、上側のドロア４４を格納位置にセットした後に、ロック機構Ｌのレバー６２をロック姿勢Ｘの方向に操作した場合には、このレバー操作と連動してアーム６３が作動することにより押圧ローラ６６がロック板６９の案内面６９Ｓに接触することで、押圧ローラ６６からドロア４４に対して格納位置Ｓの側に押し込む力を作用させ、この後、アーム６３をロック姿勢Ｘまで操作した際には、押圧ローラ６６がロック板６９のロック面６９Ｘを押圧する結果、ドロア４４の引き出し位置の側への変位を阻止するものになっている。また、案内面６９Ｓに押圧ローラ６６が接触した際には、前記可動部材６５が変位して圧縮コイルバネ６７が圧縮し、この圧縮コイルバネ６７からの付勢力をドロア４４に作用させるので、このドロア４４を継続的に格納位置Ｓに保持できるものにしている。
【００２７】
前記印画紙マガジンＭの接当部７０は、印画紙マガジンＭの外面に一体的に形成されたものであり、ドロア４４の作動方向と直交する姿勢のロック面７０Ｘと、これに滑らかに連なる傾斜姿勢の案内面７０Ｓとを具備し、下側のドロア４４を格納位置Ｓにセットした後に、ロック機構Ｌのレバー６２をロック姿勢Ｘの方向に操作した場合には、このレバー操作と連動してアーム６３が作動することにより押圧ローラ６６が印画紙マガジンＭの接当部７０の案内面７０Ｓに接触するものとなり、押圧ローラ６６から印画紙マガジンＭに対して格納位置Ｓの側に押し込む力を作用させ、この後、アーム６３をロック姿勢Ｘまで操作した際には、押圧ローラ６６が接当部７０のロック面７０Ｘを押圧する結果、ドロア４４の引き出し位置の側への変位を阻止するものになっている。また、案内面７０Ｓに押圧ローラ６６が接触した際には、前記可動部材６５が変位して圧縮コイルバネ６７が圧縮し、この圧縮コイルバネ６７からの付勢力をドロア４４に作用させるので、このドロア４４を継続的に格納位置Ｓに保持できるものにしている。
【００２８】
図面には示していないが、筐体側には印画紙マガジンＭのロック面７０Ｘと反対側の面に接触する位置決め部材を備えており、前述のように押圧ローラ６６から印画紙マガジンＭのロック面７０Ｘに押圧力が作用した際には、この位置決め部材に印画紙マガジンＭが接触して筐体１０との相対的な位置が決まるので、例えば、ドロア４４に載置した印画紙マガジンＭを格納位置Ｓにセットするものと比較すると、ドロア４４に対する印画紙マガジンＭの載置位置のバラツキの影響を排除でき、印画紙マガジンＭを精度高く格納位置Ｓに保持できるものとなる。
【００２９】
特に、上側のロック機構Ｌでは、図１２に示すように、レバー６２をロック姿勢Ｘに設定した際には前記トグルバネ６８からの付勢力によってレバー６２をロック姿勢Ｘに保持できるとともに、レバー６２が上側のドロア４４の引き出し側の側部に重複する姿勢となり、この姿勢からもドロア４４がロック状態にあることを視覚的に認識できるものとなっている。これと同様に、下側のロック機構Ｌでは、レバー６２をロック姿勢Ｘに設定した際には前記トグルバネ６８からの付勢力によってレバー６２をロック姿勢Ｘに保持できるとともに、レバー６２が下側の印画紙マガジンＭの引き出し側の側部に重複する姿勢となり、この姿勢からもドロア４４がロック状態にあることを視覚的に認識できるものとなっている。
【００３０】
このように、本発明によると、例えば、印画紙マガジンＭを交換する場合にはハンドル３２の操作で扉３０を開放し、レバー６２を解除姿勢Ｙに操作した後、ドロア４４を引き出し位置Ｔまで操作してドロア４４の印画紙マガジンＭを交換する。このようにドロア４４を引き出し位置Ｔまで引き出した際には、クリックストップ５０がスライドレールＳＲの伸長状態を保持するものとなり、写真プリント装置が傾斜していても印画紙マガジンＭの重量やドロア４４の重量によって格納位置Ｓの方向に移動する不都合を招かないようにしている。次に、引き出し位置Ｔのドロア４４に印画紙マガジンＭを載置した後、ドロア４４を押し込み操作することにより、クリックストップ５０による保持が解除され円滑な作動によってドロア４４を格納位置Ｓまで移動させ得るものとなる。
【００３１】
この後に、上側のロック機構Ｌでは、ロック機構Ｌのレバー６２をロック姿勢Ｘに操作することにより押圧ローラ６６がロック板６９のロック面６９Ｘを押圧してドロア４４が格納位置Ｓに保持され、トグルバネ６８からの付勢力によってレバー６２がロック姿勢Ｘ保持されるものとなっている。また、下側のロック機構Ｌでは、ロック機構Ｌのレバー６２をロック姿勢Ｘに操作することにより押圧ローラ６６が接当部７０のロック面７０Ｘを押圧してドロア４４が格納位置Ｓに保持され、トグルバネ６８からの付勢力によってレバー６２がロック姿勢Ｘ保持されるものとなっている。そして、ドロア４４から押圧ローラ６６に対して引き出し方向に力が作用することがあっても、この方向がレバー６２の軸体６１の揺動軸芯と平行となる方向であるので、このレバー６２を解除姿勢Ｙの方向に揺動させることがなく確実に保持状態を維持するものとなっている。
【図面の簡単な説明】
【００３２】
【図１】写真プリント装置の縦断正面図
【図２】印画紙マガジンを引き出した状態を示す写真プリント装置の平面図
【図３】写真プリント装置の正面図
【図４】印画紙マガジンの配置を示す正面図
【図５】ドロアの構造を示す一部切り欠き平面図
【図６】スライドレールのクリックストップを示す斜視図
【図７】スライドレールのクリックストップを示す断面図
【図８】スライドレールの断面図
【図９】中間ボックスの内部構造を示す平面図
【図１０】ロック状態にあるロック機構を示す縦断側面図
【図１１】ロック機構と印画紙マガジンとの位置関係を示す側面図
【図１２】ロック姿勢のレバーとアームとの位置関係を示す正面図
【図１３】ロック解除姿勢のレバーとアームとの位置関係を示す正面図
【符号の説明】
【００３３】
１０          筐体
４４          ドロア
６２          レバー
６３          アーム
６５          可動部材
６６          押圧ローラ
６７          付勢手段
Ｌ            ロック機構
Ｍ            マガジン
Ｘ            ロック姿勢
Ｙ            解除姿勢
Ｐ            感光材料
【図１】
2005227347.tif 000003
【図２】
2005227347.tif 000004
【図３】
2005227347.tif 000005
【図４】
2005227347.tif 000006
【図５】
2005227347.tif 000007
【図６】
2005227347.tif 000008
【図７】
2005227347.tif 000009
【図８】
2005227347.tif 000010
【図９】
2005227347.tif 000011
【図１０】
2005227347.tif 000012
【図１１】
2005227347.tif 000013
【図１２】
2005227347.tif 000014
【図１３】
2005227347.tif 000015